(57)【要約】【課題】シャッタがハウジングにバーリングおよびカシメ加工等により回転自在に保持された磁気ディスクカートリッジにおいて、摺動部の摺動不良の発生を防止する。【解決手段】磁気ディスクカートリッジ１のロータリーシャッタ７の軸受部となる下シェルハーフ４の軸受部４ａに、低摩擦係数かつ耐摩耗性を有するテフロン（登録商標）を保護膜４０としてコーティングする。【選択図】          図２
2004272970.tif 000002
【特許請求の範囲】
【請求項１】
センタコアに固着されたフレキシブルな磁気ディスクと、
該磁気ディスクを収容するハウジングと、
記録再生用ドライブの磁気ヘッドを前記磁気ディスクの表面にアクセスさせるための、前記ハウジングに設けられた開口部と、
該開口部を開閉するシャッタとを備え、
前記シャッタに形成された円筒状の突起を、前記ハウジングに形成された軸受部に挿通した後、前記突起の先端にカシメ加工を施すことによって、前記シャッタが前記軸受部を中心に回転自在に保持された磁気ディスクカートリッジにおいて、
前記軸受部に、低摩擦係数および／または耐摩耗性を有する保護膜および／または保護部材が設けられていることを特徴とする磁気ディスクカートリッジ。
【発明の詳細な説明】
【０００１】
【発明の属する技術分野】
本発明は、デジタルスチルカメラ、デジタルビデオカメラ、ノートパソコン等の電子機器のカードスロットに装填可能なカード型ディスクドライブに交換自在に装填可能な小型の磁気ディスクカートリッジに関するものである。
【０００２】
【従来の技術】
従来より、デジタルカメラ等のモバイル機器においては、記録媒体として例えば特許文献１に記載されているような、「ｃｌｉｋ！（登録商標）」と呼ばれる超小型の磁気ディスクカートリッジが使用されている。
【０００３】
この磁気ディスクカートリッジは、押込み部を含む樹脂製のフレームと、金属薄板からなる上下シェルとによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）の磁気ディスクを回転自在に収容したものである。
【０００４】
この磁気ディスクカートリッジのハウジングには、ドライブ装置が備えている磁気ヘッドを磁気ディスクの表面にアクセスさせるためのＶ字状の開口と、この開口を開閉するロータリーシャッタとが設けられている。このロータリーシャッタは、小径の細長いコイルばねによって閉方向にばね付勢されている。
【０００５】
また、ハウジングの左側面先端部には、ドライブ装置内の係合部に係合させて、ドライブ装置内での位置決めを確実にするためのノッチが形成され、右側面先端部には、ロータリーシャッタを閉位置にロックするシャッタロック部材を外部に臨ませる小窓が形成されている。
【０００６】
さらに、ハウジングの下シェルには、磁気ディスクのセンタコアにドライブ装置の回転スピンドルを結合させるための円形の開口と、ロータリーシャッタと同心的な円弧状溝とが形成され、ロータリーシャッタには、上記円弧状溝から突出しかつこの円弧状溝に沿って移動してロータリーシャッタを開閉するシャッタノブが固設されている。
【０００７】
【特許文献１】
米国特許第６２５６１６８号公報
【０００８】
【発明が解決しようとする課題】
ところで、上記の「ｃｌｉｋ！（登録商標）」のロータリーシャッタは、シャッタにバーリング加工等により形成された突起をハウジングに形成された軸受部に挿通した後、前記突起の先端にカシメ加工を施すことによって、軸受部を中心に回転自在にハウジングに保持されているが、シャッタおよびハウジングの切断時のバリや、バーリング加工またはカシメ加工の精度不良による歪み等により、シャッタとハウジングとの間の摺動部において摺動不良が発生し、その結果、機能低下や致命的欠陥が発生することが懸念されている。
【０００９】
本発明は上記問題に鑑みてなされたものであり、シャッタがハウジングにバーリングおよびカシメ加工等により回転自在に保持された磁気ディスクカートリッジにおいて、摺動部の摺動不良の発生を防止した磁気ディスクカートリッジを提供することを目的とするものである。
【００１０】
【課題を解決するための手段】
本発明による磁気ディスクカートリッジは、センタコアに固着保持されたフレキシブルな磁気ディスクと、磁気ディスクを収容するためのハウジングと、記録再生用ドライブの磁気ヘッドを磁気ディスクの表面にアクセスさせるための、ハウジングに設けられた開口部と、開口部を開閉するシャッタとを備え、シャッタに形成された円筒状の突起を、ハウジングに形成された軸受部に挿通した後、突起の先端にカシメ加工を施すことによって、シャッタが軸受部を中心に回転自在に保持された磁気ディスクカートリッジにおいて、軸受部に、低摩擦係数および／または耐摩耗性を有する保護膜および／または保護部材が設けられていることを特徴とするものである。
【００１１】
ここで、「低摩擦係数を有する保護膜および／または保護部材」とは、軸受部が形成されるハウジングの材料と比較して摩擦係数が低いものを意味する。
【００１２】
また、「耐摩耗性を有する保護膜および／または保護部材」とは、軸受部が形成されるハウジングの材料と比較して耐摩耗性が高いものを意味する。
【００１３】
低摩擦係数と耐摩耗性とを備えた保護膜としては、テフロン（登録商標）、チタン系またはＤＬＣ系のコーティングとすることが好ましい。
【００１４】
また、低摩擦係数と耐摩耗性とを備えた保護部材としては、超高分子ＰＥ（ポリエチレン）フィルムまたはテフロン（登録商標）シートを用いることが好ましい。
【００１５】
【発明の効果】
本発明による磁気ディスクカートリッジは、回転動作するシャッタの軸受部に、低摩擦係数および／または耐摩耗性を有する保護膜および／または保護部材を設けることによって、シャッタおよびハウジングの切断時のバリや、バーリング加工またはカシメ加工の精度不良による歪み等がある場合でも摺動部の摺動性を確保できるため、摺動部の摺動不良の発生を防止することが可能となる。
【００１６】
【発明の実施の形態】
以下、本発明の実施の形態について図面とともに詳細に説明する、
図１は、ＰＣカード型ドライブ装置に対し押込み・引出し形式で着脱される「ｃｌｉｋ！（登録商標）」と呼ばれる超小型の磁気ディスクカートリッジを示し、図１（ａ）はその平面図、図１（ｂ）は右側面図、図１（ｃ）は底面図であり、図２は図１（ａ）のＩＩ−ＩＩ線の下シャッタハーフおよび下シェルハーフの断面図である。
【００１７】
図３は、本発明によるＰＣカード型ドライブ装置の本体を示す平面図で、このドライブ装置は、図示のドライブ装置本体２０と、本体２０と略同型の平面形状を備えて本体２０上に被せられる金属製上蓋（図示は省略）とから構成されている。
【００１８】
図１に示す磁気ディスクカートリッジ１は、押込み部２ａを含む樹脂製のフレーム２と、金属薄板からなる上下シェルハーフ３、４とによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）の磁気ディスク５を回転自在に収容している。
【００１９】
上記ハウジングには、図３に示すドライブ装置本体２０が備えている磁気ヘッド２７を磁気ディスク５の表面にアクセスさせるためのＶ字状の開口６と、この開口６を開閉するロータリーシャッタ７とが設けられている。ロータリーシャッタ７は上シャッタハーフ７ａと下シェルハーフ４に回転自在に保持された下シャッタハーフ７ｂとからなり、両者を係合させることにより一体的に可動するように構成されている。ロータリーシャッタ７は、ハウジング内に設けられた小径の細長いコイルばね（図示は省略）によって閉方向（図１（ａ）の反時計方向）にばね付勢されている。
【００２０】
ここで、下シェルハーフ４による下シャッタハーフ７ｂの保持部について詳細に説明する。
【００２１】
図２（ａ）に示すように、下シャッタハーフ７ｂは、下シャッタハーフ７ｂにバーリング加工により形成された円筒状の突起５０を、下シェルハーフ４に形成された軸受部４ａの開口部に挿通した後、突起５０の先端５０ａにカシメ加工を施すことによって、下シェルハーフ４により軸受部４ａを中心に回転自在に保持されている。また、下シェルハーフ４の軸受部４ａには、低摩擦係数かつ耐摩耗性を有するテフロン（登録商標）が保護膜４０としてコーティングされている。なお、保護膜４０としては、テフロン（登録商標）のコーティング以外にも、チタン系またはＤＬＣ系のコーティングとしてもよい。
【００２２】
ハウジングの左側面先端部には、ドライブ装置本体２０内の係合部材２９に係合させて、ドライブ装置本体２０内での位置決めを確実にするためのノッチ８が形成され、右側面先端部には、ロータリーシャッタ７を閉位置にロックするシャッタロック部材１１を外部に臨ませる小窓９が形成されている。なお、図１はロータリーシャッタ７が閉位置にロックされている状態を示す。
【００２３】
ハウジングの下シェル４には、磁気ディスク５のセンタコア１０にドライブ装置本体２０の回転スピンドル２３を結合させるための円形の開口部４ａと、ロータリーシャッタ７と同心的な円弧状溝４ｂとが形成され、ロータリーシャッタ７には、上記円弧状溝４ｂから突出しかつこの円弧状溝４ｂに沿って移動してロータリーシャッタ７を開閉するシャッタノブ７ｂが固設されている。
【００２４】
ロータリーシャッタ７を閉位置にロックするシャッタロック部材１１は、ハウジングに設けられた軸１２に回動自在に取り付けられているとともに、ロータリーシャッタ７をロックする方向にばね付勢されている。そして、磁気ディスクカートリッジ１がドライブ装置本体２０へ挿入される際に、ドライブ装置本体２０側に設けられたロック解除部材１９が小窓９を通してこのシャッタロック部材１１を押圧することにより、ロック部材１１がロック解除方向に僅かに回動されて、ロータリーシャッタ７のロックが解除されるように構成されている。
【００２５】
図３に示すドライブ装置本体２０は、幅５３ｍｍ、奥行き８５ｍｍ、厚さ５ｍｍの寸法を有するＴＹＰＥＩＩ  ＰＣカード型ドライブ装置から金属製上蓋を除去したものであり、ディスクカートリッジ１が挿入されるスロット２１と、磁気ディスク５のセンタコア１０を磁気吸着するスピンドル２３を備えたスピンドルモータ２２と、ヘッドアクチュエータ２４と、スイングアーム２５と、このスイングアーム２５に支持されたヘッドサスペンション２６とを備えている。ヘッドサスペンション２６の先端には、回転する磁気ディスク５の表面にアクセスして情報の記録再生を行なう磁気ヘッド２７が設けられている。
【００２６】
さらにドライブ装置本体２０は、磁気ディスクカートリッジ１のノッチ８に係合する係合部材２９を備えたプッシュ・プッシュ式のカートリッジ係止・排出機構２８と、このドライブ装置本体２０が装填されるデジタルカメラ、パソコン等の電子機器に対する入出力インターフェース３０とを備えている。
【００２７】
ドライブ装置本体２０のスロット２１の奥の右側には、磁気ディスクカートリッジ１の挿入方向に直交するように左右に延びる係止壁１８がシャッタ開放手段として形成されているとともに、閉位置にロックされたロータリーシャッタ７のロックを磁気ディスクカートリッジ１の挿入時に解除するロック解除部材１９が設けられている。
【００２８】
そして、磁気ディスクカートリッジ１がドライブ装置のスロット２１に挿入されると、先ずロック解除部材１９がシャッタロック部材１１を押圧し、その状態でシャッタノブ７ｂが係止壁１８に係合するから、磁気ディスクカートリッジ１の押込みに伴ってシャッタノブ７ｂが係止壁１８に沿ってスライドする態様でロータリーシャッタ７がその付勢用コイルばねを圧縮しながら開位置まで回動され、同時に、磁気ディスクカートリッジ１のノッチ８にドライブ装置本体２０の係合部材２９が係合して、磁気ディスクカートリッジ１は、ドライブ装置本体２０内の所定位置に収納される。
【００２９】
一方、磁気ディスクカートリッジ１をドライブ装置から取り出すときには、磁気ディスクカートリッジ１の押圧部２ａを押圧することによって、カートリッジ係止・排出機構２８が磁気ディスクカートリッジ１を押し出すとともに、圧縮されたロータリーシャッタ付勢用コイルばねによってエジェクト時の初速が確保され、かつ磁気ディスクカートリッジ１の引き出しに伴ってロータリーシャッタ７は上記コイルばねの付勢力により閉位置まで回動されて、シャッタロック部材１１によりロックされるように構成されている。
【００３０】
以上の説明で明らかなように、本実施の形態による磁気ディスクカートリッジは、下シェルハーフ４の軸受部４ａに、低摩擦係数かつ耐摩耗性を有する保護膜４０をコーティングすることによって、下シャッタハーフ７ｂおよび下シェルハーフ４の切断時のバリや、バーリング加工またはカシメ加工の精度不良による歪み等がある場合でも摺動部の摺動性を確保できるため、摺動部の摺動不良の発生を防止することが可能となる。
【００３１】
なお、図２（ｂ）に示すように、下シェルハーフ４の軸受部４ａに、低摩擦係数かつ耐摩耗性を有するテフロン（登録商標）シートを保護部材４１として貼付しても上記と同様の効果を得ることができる。なお、保護部材４１としては、テフロン（登録商標）シート以外にも、超高分子ＰＥフィルムとしてもよい。
【００３２】
また、図２（ｃ）に示すように、軸受部４ａに、保護膜４０をコーティングし、その上に併せて保護部材４１を貼付することにより、摺動部の摺動不良の発生をさらに防止することが可能となる。
【００３３】
さらに、上記の保護膜および保護部材は、軸受部の全ての領域に設けることが好ましいが、必ずしもそのような態様に限らず、部分的に設けてもよい。
【図面の簡単な説明】
【図１】本発明による磁気ディスクカートリッジの平面図（ａ）、右側面図（ｂ）および底面図（ｃ）
【図２】図１（ａ）におけるＩＩ−ＩＩ線の下シャッタハーフおよび下シェルハーフの断面図
【図３】本発明による磁気ディスクカートリッジに対応したＰＣカード型ドライブ装置のドライブ装置本体平面図
【符号の説明】
１    磁気ディスクカートリッジ
２    フレーム
３    上シェル
４    下シェル
５    磁気ディスク
７    ロータリーシャッタ
１８    係止壁
１９    ロック解除部材
２０    ドライブ装置本体
２２    スピンドルモータ
４０    保護膜
４１    保護部材
【図１】
2004272970.tif 000003
【図２】
2004272970.tif 000004
【図３】
2004272970.tif 000005